(57)【要約】      （修正有）【課題】ソフトルアーの側面から突出する部材の損傷を抑制するソフトルアーの提供。【解決手段】ソフトルアー１０は、本体部１１の側面から突出するように設けられた複数の突出部２０Ｌ，２０Ｒが、本体部１１の釣針取付部分の後端よりも前方側に設けられ、複数の突出部２０Ｌ，２０Ｒの各々は、突出する方向の長さが、本体部１１の側面に設けられている位置から釣針取付部分の後端までの長さよりも短い。【選択図】図１
2017029009.tif 000002
【特許請求の範囲】
【請求項１】
釣用のソフトルアーであって、
第１の部分に釣針が取り付けられる本体部と、
前記本体部の側面から突出するように設けられた複数の突出部と、を備え、
前記複数の突出部は、前記本体部の前記第１の部分の後端よりも前方側に設けられ、
前記複数の突出部の各々は、突出する方向の長さが、当該複数の突出部の各々が前記本体部の前記側面に設けられている位置から前記第１の部分の後端までの長さよりも短い、
ソフトルアー。
【請求項２】
前記第１の部分は、前記本体部の先頭から前記本体部の全長の１／２に相当する部分である請求項１に記載のソフトルアー。
【請求項３】
前記複数の突出部は、突出する方向の長さが、前方に位置する突出部の方が後方に位置する突出部よりも長い請求項１又は２に記載のソフトルアー。
【請求項４】
前記複数の突出部は、前記本体部と一体に形成されている請求項１ないし３何れかに記載のソフトルアー。
【請求項５】
前記複数の突出部は、前記本体部と同じ材料により形成されている請求項１ないし４何れかに記載のソフトルアー。
【請求項６】
前記複数の突出部は、前記本体部の一方の側面と他方の側面とに対称に設けられている請求項１ないし５何れかに記載のソフトルアー。
【発明の詳細な説明】
【技術分野】
【０００１】
本発明は、釣用のソフトルアーに関する。
【背景技術】
【０００２】
従来より、魚釣りに使用される疑似餌（ルアー）の一つとして、合成樹脂やゴム等の軟質材料により形成されるソフトルアーが存在する。ソフトルアーにおいて、釣針（フック）は、典型的には、ソフトルアーの前方側に取り付けられて固定され、ソフトルアーの後方側が水流に応じて変形し又は微細に動作する。こうした変形や微細な動作は、魚を集める集魚効果を有するものと考えられている。また、こうしたソフトルアーの集魚効果を一層高めるために、例えば、日本国実用新案登録第３１８９４７３号公報に開示されているワーム型のソフトルアーでは、水流抵抗を受けて揺れ動く多数の揺動部材が本体部の側面に設けられている。
【先行技術文献】
【特許文献】
【０００３】
【特許文献１】実用新案登録第３１８９４７３号公報
【発明の概要】
【発明が解決しようとする課題】
【０００４】
しかしながら、上述した揺動部材に魚が繰り返し食いつくと、当該部材が損傷してしまう恐れがある。例えば、取り付けられている釣針付近に位置する揺動部材であれば、当該部材に食いついた魚がフッキングすることを期待できるが、釣針から離れている部材については、フッキングすることなしに魚が繰り返し食いつき易く、この結果、当該部材が損傷してしまうことがある。そして、揺動部材が損傷してしまうと、上述した集魚効果も低減してしまう。
【０００５】
本発明の実施形態は、ソフトルアーの側面から突出する部材の損傷を抑制することを目的の一つとする。本発明の実施形態の他の目的は、本明細書全体を参照することにより明らかとなる。
【課題を解決するための手段】
【０００６】
本発明の一実施形態に係るソフトルアーは、釣用のソフトルアーであって、第１の部分に釣針が取り付けられる本体部と、前記本体部の側面から突出するように設けられた複数の突出部と、を備え、前記複数の突出部は、前記本体部の前記第１の部分の後端よりも前方側に設けられ、前記複数の突出部の各々は、突出する方向の長さが、当該複数の突出部の各々が前記本体部の前記側面に設けられている位置から前記第１の部分の後端までの長さよりも短い。
【発明の効果】
【０００７】
本発明の様々な実施形態によって、ソフトルアーの側面から突出する部材の損傷を抑制することができる。
【図面の簡単な説明】
【０００８】
【図１】一実施形態に係るソフトルアー１０の斜視図。
【図２】一実施形態に係るソフトルアー１０の上面図。
【図３】一実施形態における釣針の高さＨを例示する図。
【図４】一実施形態に係るソフトルアー１０に釣針１１０が取り付けられている状態を例示する図。
【図５】リトリーブ中における一実施形態に係るソフトルアー１０の状態を例示する図。
【発明を実施するための形態】
【０００９】
以下、本発明の様々な実施形態を適宜図面を参照して説明する。なお、図面における共通する構成要素には同一の参照符号が付されている。
【００１０】
図１は、本発明の一実施形態に係るソフトルアー１０の斜視図であり、図２は、同じくソフトルアー１０の上面図である。一実施形態におけるソフトルアー１０は、ワーム型のソフトルアーであり、図示するように、本体部１１と、本体部１１の側面から左右対称に突出するように設けられた複数の突出部２０と、を備える。ここで、ワーム型のソフトルアーは例示であって、本発明の実施形態において、軟質材料により形成される様々な種類のソフトルアーが適用され得る。
【００１１】
一実施形態におけるソフトルアー１０は、リトリーブ中において図１の矢印Ａが示す方向に進行する。以下、本明細書において単に「前方」及び「後方」という場合、この矢印Ａが示すソフトルアー１０の進行方向を基準とする。
【００１２】
一実施形態における本体部１１は、図１に示すように、略円柱形状の頭部１２と、頭部１２の進行方向後方に連続して形成される胴体部１４と、胴体部１４の進行方向後方に連続して形成されると共に先細りの略紐状の形状を有する尾部１６と、を有する。一実施形態においては、これらの頭部１２、胴体部１４、及び尾部１６が、合成樹脂やゴム等の軟質材料により、射出成形等の手法を用いて一体に形成されている。ここで、一実施形態における本体部１１の進行方向の長さは、例えば１０ｃｍ程度であり、例えば７−１３ｃｍの範囲にある。
【００１３】
胴体部１４は、図２に示すように、ソフトルアー１０の進行方向に略直交する左右方向の幅が、進行方向略中央に近づくほど広くなる形状を有している。また、胴体部１４は、図１に示すように、ソフトルアー１０の進行方向に略直交する上下方向の高さが、進行方向略中央に近づくほど高くなる形状を有している。このように、一実施形態における胴体部１４は、進行方向略中央が幅広で上方向に盛上がる形状を有する。
【００１４】
また、胴体部１４の外周面には、複数の円環状の凹部（溝、符号なし）が、ソフトルアー１０の進行方向に所定の間隔を空けて形成されており、同じく胴体部１４の下面には、ソフトルアー１０の進行方向に沿って延びる直線状の凸部が形成されている。また、尾部１６の先端には、略三角形状の針部（符号なし）が形成されている。
【００１５】
一実施形態における複数の突出部２０は、図示するように、前方から見て本体部１１の右側の側面から突出する４つの右側突出部２０Ｒと、同じく本体部１１の左側の側面から突出する４つの左側突出部２０Ｌと、によって構成されており、右側突出部２０Ｒ及び左側突出部２０Ｌは、左右対称の関係となるように設けられている。
【００１６】
一実施形態において、突出部２０は、略円柱形状を有する棒状又は紐状の部材であり、本体部１１と同じ合成樹脂やゴム等の軟質材料により形成されており、また、射出成形等の手法を用いて本体部１１と一体に形成されている。
【００１７】
右側突出部２０Ｒ及び左側突出部２０Ｌの各々は、図１、２に示すように、本体部１１の右側側面及び左側側面の、前方側の略下端部に、所定の間隔を空けて進行方向に沿って一列に並ぶように設けられた４つの突出部２０によって構成されている。一実施形態において、突出部２０は、進行方向に略直交する方向（左右方向）に突出して延びている。ここで、他の実施形態においては、突出部２０は、突出して延びる方向が前方又は後方に傾斜角度を有するように構成され得る。
【００１８】
一実施形態における複数の突出部２０は、上述したように、本体部１１の前方側に設けられており、より詳しくは、釣針が取り付けられる部分である釣針取付部分１１ａに設けられている。釣針取付部分１１ａは、ソフトルアー１０に実際的に（通常の魚釣りの用途において）取付可能な釣針のサイズに基づいて特定され、実際的に取付可能な釣針が位置し得る本体部１１の特定の部分である。一実施形態のソフトルアー１０において、釣針取付部分１１ａは、本体部１１の先頭から本体部１１の全長ＦＬの１／３に相当する部分（図２において斜線で示されている）として特定されている。この釣針取付部分１１ａは、例えば、実際的に取付可能な釣針のサイズに基づいて特定される。例えば、本体部１１の先頭から、実際的に取付可能な釣針の高さ（図３のＨ）に相当する距離（例えば、実際的に取付可能な複数の釣針のうち最も高さの高い釣針の高さに相当する距離）、或いは、これより若干長い又は短い距離だけ後方にスライドした位置までの部分が、釣針取付部分１１ａとして特定される。
【００１９】
図４は、一実施形態におけるソフトルアー１０の本体部１１に釣針１１０が取り付けられている状態の一例を示す（図４において、突出部２０の図示は省略されている）。図示するように、釣針１１０は、典型的には、釣針１１０の胴（符号なし）が本体部１１（頭部１２の全長及び胴体部１４の前方部分）の内部に収容され、針先１１０ａが本体部１１の上側の側面から突き出るように、ソフトルアー１０に取り付けられる。そして、取り付けられた釣針１１０は、本体部１１の釣針取付部分１１ａの範囲内に位置している。
【００２０】
ここで、一般的なワーム型のソフトルアーでは、一実施形態におけるソフトルアー１０と同様に、本体部の先頭から全長の１／３に相当する部分が、実際的に取付可能な釣針が取り付けられる釣針取付部分として特定され得る。しかしながら、本体部の全長及び／又は実際的に取付可能な釣針のサイズに応じて、異なる部分が釣針取付部分となり、例えば、本体部の先頭から全長の１／２に相当する部分が、実際的に取付可能な釣針が取り付けられる釣針取付部分として特定され得る。
【００２１】
一実施形態における複数の突出部２０の各々は、図２に示すように、その突出する方向の長さ（以下、単に「長さ」と言うことがある。）が、本体部１１に接続する根元部分の位置（突出部２０が本体部１１の側面に設けられている位置）から、釣針取付部分１１ａの後端までの長さよりも短くなるように構成されている。例えば、図２において、最も前方の突出部２０−１の突出する方向の長さＬ１は、この突出部２０−１が本体部１１に接続する根元部分の位置から釣針取付部分１１ａの後端までの長さＬ２よりも短くなるように構成されており、同様に、他の突出部２０の突出する方向の長さは、突出部２０が本体部１１に接続する根元部分の位置から釣針取付部分１１ａの後端までの長さよりも短くなるように構成されている。
【００２２】
また、図示するように、一実施形態における複数の突出部２０は、前方に位置する突出部２０の方が後方に位置する突出部２０よりも、突出する方向の長さが長くなるように構成されている。一実施形態における突出部２０の長さは、例えば、５−２０ｍｍの範囲にある。
【００２３】
次に、このように構成された一実施形態におけるソフトルアー１０のリトリーブ中の動きについて説明する。釣り人の操作に伴ってソフトルアー１０が水中を泳動すると、本体部１１の側面に設けられた複数の突出部２０は、水流抵抗を受けて後方に傾倒しながら揺れ動く。図５は、リトリーブ中における一実施形態に係るソフトルアー１０の状態を例示する。リトリーブ中において、複数の突出部２０は、上述したように、水流抵抗を受けて後方に傾倒する。ここで、突出部２０の長さは、本体部１１に接続する根元部分の位置から釣針取付部分１１ａの後端までの長さよりも短くなるように構成されているから、図示するように、後方に傾倒する突出部２０は、その全体が、釣針取付部分１１ａの範囲内に位置し、釣針取付部分１１ａの後方には進出しない。即ち、ソフトルアー１０のリトリーブ中において、後方に傾倒する突出部２０の全長が、取り付けられている釣針１１０の付近に位置することとなるから、揺れ動く突出部２０に誘われた魚が当該突出部２０に食いついたときにフッキングを期待することができる。従って、一実施形態におけるソフトルアー１０は、突出部２０が魚に繰り返し食いつかれて損傷してしまうことを抑制し得る。
【００２４】
また、一実施形態の複数の突出部２０は、上述したように、前方に位置する突出部２０の方が後方に位置する突出部２０よりも突出する方向の長さが長くなるように構成されている。従って、突出する方向の長さが同じである場合と比較して、前方に位置する突出部２０がリトリーブ中に後方に傾倒するときの端部の位置は、釣針取付部分１１ａの後端側に近づき易い。そして、釣針取付部分１１ａの後端に近づく突出部２０の端部は、針先１１０ａの位置から一定範囲内に位置することになるから、突出部２０の端部に魚が食いついたときに、フッキングをより一層期待することができる。
【００２５】
上述した一実施形態において、前方に位置する突出部２０の方が後方に位置する突出部２０よりも突出する方向の長さが長くなるように構成したが、本発明の実施形態は、こうした構成に限定されない。例えば、他の実施形態においては、複数の突出部２０の突出する方向の長さは、略同一の長さとされ、又は、後方に位置するほど長くなるように構成され得る。
【００２６】
上述した一実施形態において、突出部２０は、本体部１１と一体に形成されるように構成したが、本発明の実施形態は、こうした構成に限定されない。例えば、他の実施形態における突出部２０は、本体部１１とは独立して形成され、接続用の部材を介して本体部１１に接続され得る。また、上述した一実施形態において、突出部２０は、本体部１１と同じ材料で形成されるように構成したが、本発明の実施形態は、こうした構成に限定されない。例えば、他の実施形態における突出部２０は、本体部１１とは異なる材料で形成され得る。
【００２７】
以上説明した本発明の様々な実施形態におけるソフトルアー１０は、本体部１１の側面から突出するように設けられた複数の突出部２０は、本体部１１の釣針取付部分（第１の部分）１１ａの後端よりも前方側に設けられ、複数の突出部２０の各々は、突出する方向の長さが、本体部１１の側面に設けられている位置から釣針取付部分１１ａの後端までの長さよりも短い。こうした構成を有するソフトルアー１０は、リトリーブ中に後方に傾倒する突出部２０が、釣針取付部分１１ａの範囲内に位置することとなるから、当該突出部２０に魚が食いついたときにフッキングを期待でき、この結果、当該突出部２０が繰り返し食われて損傷するのを抑制することができる。
【００２８】
本発明の実施形態は、上述した実施形態に限定されるものではなく、その要旨を逸脱しない範囲内で様々な変更が可能である。例えば、突出部２０の数、配置及び形状は、上述した実施形態に限定されず、様々な変更が可能である。例えば、ソフトルアー１０の進行方向に沿って一列に並ぶ複数の突出部２０によって構成される突出部２０の「列」の数は、１、又は、３以上とすることも出来る。突出部２０の列を３以上とすることにより、対象魚とソフトルアー１０との位置関係に関わらず、複数の突出部２０の少なくとも一部が対象魚の視界に入り易くなる。また、突出部２０の形状は、略円柱形状を有する棒状又は紐状に限定されず、様々な形状とすることができる。更に、突出部２０は、単一の部材から構成される構造に限定されず、複数の部材が連結された構造とすることもできる。
【符号の説明】
【００２９】
１０  ソフトルアー
１１  本体部
１１ａ  釣針取付部分
１２  頭部
１４  胴体部
１６  尾部
２０  突出部
２０Ｒ  右側突出部
２０Ｌ  左側突出部
１１０  釣針
１１０ａ  針先
【図１】
2017029009.tif 000003
【図２】
2017029009.tif 000004
【図３】
2017029009.tif 000005
【図４】
2017029009.tif 000006
【図５】
2017029009.tif 000007